(57)【要約】【課題】電気的に通信する通信部と、光学的に通信する通信部とを備えたカメラボディ。【解決手段】接触により通信を行う第１通信部と、非接触で通信を行う第２通信部と、アクセサリ側マウントと、を備えたカメラアクセサリを装着可能なカメラボディであって、所定方向に所定角度の回転操作されたアクセサリ側マウントを嵌合可能なカメラ側マウントと、カメラアクセサリが装着された状態下で第１通信部に対向して、第１通信部側に向かって付勢され、第１通信部と通信する第３通信部と、カメラアクセサリが装着された状態下で第２通信部に対向して第２通信部と非接触で光学的に通信可能であり、第３通信部から所定方向への所定角度の回転操作に対応した回転角度の範囲内に並んで配置された第４通信部と、を有し、第３通信部は、カメラアクセサリは第２通信部との非接触を保つ。【選択図】図５
2010282101.tif 000002
【特許請求の範囲】
【請求項１】
接触により通信を行う第１通信部と、非接触で光学的に通信を行う第２通信部と、アクセサリ側マウントと、を備えたカメラアクセサリを装着可能なカメラボディであって、
所定方向に所定角度の回転操作された前記アクセサリ側マウントを嵌合可能であり、且つ、前記所定方向とは反対方向に前記所定角度の回転操作された前記アクセサリ側マウントを取り外し可能なカメラ側マウントと、
前記カメラアクセサリが装着された状態下で前記第１通信部に対向して配置され且つ前記第１通信部側に向かって突出するように付勢部材により付勢されており、前記付勢部材の付勢力により前記第１通信部に接触して電気的に接続することにより前記第１通信部と通信する第３通信部と、
前記カメラアクセサリが装着された状態下で前記第２通信部に対向して配置され且つ前記第２通信部と非接触で光学的に通信可能であり、前記第３通信部から、前記所定方向への前記所定角度の回転操作に対応した回転角度の範囲内で並んで配置された第４通信部と、
を有し、
前記第３通信部は、前記カメラアクセサリが前記所定方向および前記所定方向の反対方向に回転操作されている間、前記第２通信部との非接触を保つことを特徴とするカメラボディ。
【請求項２】
前記第３通信部は、前記カメラアクセサリの前記所定方向への回転操作によって前記第２通信部が移動する範囲よりも、前記所定方向について外側に配される請求項１に記載のカメラボディ。
【請求項３】
前記カメラアクセサリが、前記第３通信部が前記第２通信部に対向する位置まで、前記所定方向に回転することを規制する規制部をさらに有する請求項２に記載のカメラボディ。
【請求項４】
前記規制部は、前記カメラアクセサリが前記所定方向に前記所定角度の回転操作された場合に、前記アクセサリ側マウントに配された段差に当接して、前記回転操作を規制する段差を含むことを特徴とする請求項３に記載のカメラボディ。
【請求項５】
前記規制部は、前記第３通信部と前記第４通信部との間に配されることを特徴とする請求項３または請求項４に記載のカメラボディ。
【請求項６】
前記付勢部材により突出された前記第３通信部の位置は、前記アクセサリが装着された状態下で、前記アクセサリ側マウントにおける前記第２通信部が設けられた面より前記カメラ側マウントの側にある請求項１に記載のカメラボディ。
【請求項７】
前記第４通信部は、前記付勢部材により突出された前記第３通信部の位置よりも前記アクセサリ側マウントの側に突出して配される請求項６に記載のカメラボディ。
【請求項８】
接触により通信を行う第１通信部と、非接触で光学的に通信を行う第２通信部と、ボディ側マウントと、を備えたカメラボディに装着可能なカメラアクセサリであって、
前記カメラボディに対して所定方向に所定角度の回転操作されることにより前記ボディ側マウントに嵌合可能であり、且つ、前記所定方向とは反対方向に前記所定角度の回転操作されることにより前記ボディ側マウントから取り外し可能なアクセサリ側マウントと、
前記ボディに装着された状態下で前記第１通信部に対向して配置され且つ前記第１通信部側に向かって突出するように付勢部材により付勢されており、前記付勢部材の付勢力により前記第１通信部に接触して電気的に接続することにより前記第１通信部と通信する第３通信部と、
前記カメラボディに装着された状態下で前記第２通信部に対向して配置され且つ前記第２通信部と非接触で光学的に通信可能であり、前記第３通信部から、前記所定方向への前記所定角度の回転操作に対応した回転角度の範囲内で並んで配置された第４通信部と、
を有し、
前記第３通信部は、前記アクセサリが前記所定方向および前記所定方向の反対方向に回転操作されている間、前記第２通信部との非接触を保つことを特徴とするカメラアクセサリ。
【請求項９】
前記第３通信部は、前記カメラアクセサリが前記カメラボディに対して前記所定方向へ回転操作された場合に、前記第２通信部が移動する範囲よりも、前記所定方向について外側に配される請求項８に記載のカメラアクセサリ。
【請求項１０】
前記カメラアクセサリが前記カメラボディに対して前記所定方向に回転操作される際に、前記カメラアクセサリが、前記第３通信部が前記第２通信部に対向する位置まで、所定方向移動することを規制する規制部を更に有することを特徴とする請求項９に記載のカメラアクセサリ。
【請求項１１】
前記規制部は、前記カメラアクセサリが前記所定方向に前記所定角度の回転操作をされた場合に前記ボディ側マウントに配された段差に当接して、前記第３通信部がそれ以上移動することを規制する段差を含むことを特徴とする請求項１０に記載のカメラアクセサリ。
【請求項１２】
前記規制部は、前記第３通信部と前記第４通信部との間に配されることを特徴とする請求項１０または請求項１１に記載のカメラアクセサリ。
【請求項１３】
前記付勢部材に付勢されて突出した前記第３通信部の位置は、前記カメラアクセサリが前記カメラボディに装着された状態下で、前記ボディ側マウントにおいて前記第２通信部が設けられた面より前記ボディ側マウントの側にある請求項８に記載のカメラアクセサリ。
【請求項１４】
前記第４通信部は、前記付勢部材により突出された前記第３通信部の位置よりも前記ボディ側マウントの側に突出して配される請求項１３に記載のカメラアクセサリ。
【発明の詳細な説明】
【技術分野】
【０００１】
本発明は、カメラボディおよびカメラアクセサリに関する。
【背景技術】
【０００２】
カメラボディに対して着脱できる各種アクセサリ部材がある。下記の特許文献１には、カメラボディに対して着脱できる交換レンズが、カメラボディ側と接触または非接触に、信号または電力を送受信する構造が記載される。
【先行技術文献】
【特許文献】
【０００３】
【特許文献１】特開２００４−０５３８７６号公報
【発明の概要】
【発明が解決しようとする課題】
【０００４】
上記のように、カメラボディおよびカメラアクセサリが信号等をやりとりする場合、異なる通信方式が含まれる場合であっても、信号等の入出力端子は近接配置されることが好ましい。これにより、入出力端子への配線等を短縮する（配線の引き回しスペースを最小限にできる）と共に、それぞれの内部回路を高密度に実装して、カメラボディおよびカメラアクセサリを小型化することができる。
【課題を解決するための手段】
【０００５】
そこで、上記課題を解決すべく、本発明の第１の態様として、接触により通信を行う第１通信部と、非接触で光学的に通信を行う第２通信部と、アクセサリ側マウントと、を備えたカメラアクセサリを装着可能なカメラボディであって、所定方向に所定角度の回転操作されたアクセサリ側マウントを嵌合可能であり、且つ、所定方向とは反対方向に所定角度の回転操作されたアクセサリ側マウントを取り外し可能なカメラ側マウントと、カメラアクセサリが装着された状態下で第１通信部に対向して配置され且つ第１通信部側に向かって突出するように付勢部材により付勢されており、付勢部材の付勢力により第１通信部に接触して電気的に接続することにより第１通信部と通信する第３通信部と、カメラアクセサリが装着された状態下で第２通信部に対向して配置され且つ第２通信部と非接触で光学的に通信可能であり、第３通信部から所定方向への所定角度の回転操作に対応した回転角度の範囲内に並んで配置された第４通信部と、を有し、第３通信部は、カメラアクセサリが所定方向および所定方向の反対方向に回転操作されている間、第２通信部との非接触を保つカメラボディが提供される。
【０００６】
また、本発明の第２の態様として、接触により通信を行う第１通信部と、非接触で光学的に通信を行う第２通信部と、ボディ側マウントと、を備えたカメラボディに装着可能なカメラアクセサリであって、カメラボディに対して所定方向に所定角度の回転操作されることによりボディ側マウントに嵌合可能であり、且つ、所定方向とは反対方向に所定角度の回転操作されることによりボディ側マウントから取り外し可能なアクセサリ側マウントと、ボディに装着された状態下で第１通信部に対向して配置され且つ第１通信部側に向かって突出するように付勢部材により付勢されており、付勢部材の付勢力により第１通信部に接触して電気的に接続することにより第１通信部と通信する第３通信部と、カメラボディに装着された状態下で第２通信部に対向して配置され且つ第２通信部と非接触で光学的に通信可能であり、第３通信部から所定方向への所定角度の回転操作に対応した回転角度の範囲内に並んで配置された第４通信部と、を有し、第３通信部は、アクセサリが所定方向および所定方向の反対方向に回転操作されている間、第２通信部との非接触を保つカメラアクセサリが提供される。
【図面の簡単な説明】
【０００７】
【図１】カメラボディ１００の形状を示す斜視図である。
【図２】交換レンズ１２０の形状を示す部分斜視図である。
【図３】カメラシステム２００全体の構造を示す断面図である。
【図４】ボディ側マウント１３０の構造を模式的に示す図である。
【図５】交換レンズ１２０のマウント部の構造を模式的に示す図である。
【図６】交換レンズ１２０およびマウント１３０の一例を模式的に示す図である。
【図７】交換レンズ１２０およびマウント１３０の一例を模式的に示す図である。
【図８】交換レンズ１２０およびマウント１３０の一例を模式的に示す図である。
【図９】交換レンズ１２０およびマウント１３０の一例を模式的に示す図である。
【図１０】交換レンズ１２０およびマウント１３０の一例を模式的に示す図である。
【図１１】交換レンズ１２０およびマウント１３０の一例を模式的に示す図である。
【図１２】交換レンズ１２０およびマウント１３０の一例を模式的に示す図である。
【図１３】交換レンズ１２０およびマウント１３０の一例を模式的に示す図である。
【図１４】交換レンズ１２０およびマウント１３０の一例を模式的に示す図である。
【図１５】交換レンズ１２０およびマウント１３０の一例を模式的に示す図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、カメラボディ１００の形状を示す斜視図である。なお、本実施形態では、カメラボディ１００を、撮像素子を備えたデジタルカメラボディとして説明する。しかしながら、フィルムを用いるカメラにも本発明は適用可能である。カメラボディ１００は、筐体１１０の表面に配されたフラッシュ装置１４０、表示部１７０、ダイヤルスイッチ１８０、押しボタン１９０を備える。また、筐体１１０の前面には、マウント１３０を有する。
【００１０】
表示部１７０は、電池の残量、記録媒体の残り容量、設定された撮影条件等を表示する。なお、図示されていない筐体１１０の背面にも表示部が設けられる場合もある。コマンドダイヤル１８０は、選択肢が比較的多い場合の切り換え操作、あるいは、連続的な値の増減操作等に使用される。押しボタン１９０は、シャッタレリーズスイッチとして用いられる。
【００１１】
マウント１３０は、ここに装着されるカメラアクセサリが密接するマウント面１３２と、マウント面１３２の内側に、径方向内側に突出するマウント爪（バヨネットマウント）１３４と、マウント面に配された後述する複数の電気接点１３６および光通信ユニット１３８を有する。マウント面１３２は、環状の平面をなす。マウント爪１３４は複数配され、それぞれ円弧をなす。
【００１２】
なお、マウント１３０の近傍に、差し込み指標１３９が配される。差し込み指標１３９は、後述するカメラアクセサリをマウント１３０に装着する場合に、カメラアクセサリ側の差し込み指標と合わせることにより、カメラアクセサリを正しい向きで装着するために設けられている。
【００１３】
図２は、カメラボディ１００を用いて画像を撮像する場合にマウント１３０に装着される交換レンズ１２０の外観を、斜め後方から示す斜視図である。交換レンズ１２０の周面には、ズームリング１２１、ピントリング１２３を有する。ズームリング１２１は、交換レンズ１２０の周面に沿って回転させることができる。ズームリング１２１を回転させた場合は、交換レンズ１２０の焦点距離が変化する。
【００１４】
ピントリング１２３も、交換レンズ１２０の周面に沿って回転させることができる。ピントリング１２３を回転させた場合、交換レンズ１２０の焦点位置が変化する。
【００１５】
また、交換レンズ１２０の周面後端には、差し込み指標１２９が設けられる。差し込み指標１２９は、交換レンズ１２０をレンズマウント１３０に装着する場合に、カメラボディ１００側の差し込み指標１３９と位置合わせする目的で配される。
【００１６】
交換レンズ１２０の後端面には、マウント面１２２、ボディ側のマウント爪（バヨネットマウント）と係合するマウント爪１２４、電気接点１２６および光通信ユニット１２８が配される。マウント面１２２は、交換レンズ１２０の光学系の光軸Ｘと直行する平坦な環状面をなす。このマウント面１２２を、カメラボディ１００のマウント面１３２と密接させることにより、交換レンズ１２０の光学系は、カメラボディ１００に対して正確に位置決めされる。
【００１７】
電気接点１２６および光通信ユニット１２８は、マウント面１２２上においてそれぞれ、カメラボディ１００側の電気接点１３６および光通信ユニット１３８に対応したレイアウトで配される。これにより、交換レンズ１２０がカメラボディ１００に装着された場合、電気接点１３６、１２６同士、光通信ユニット１３８、１２８同士が、互いに対抗して接続される。なお、光通信ユニット１３８、１２８は、後述するように、それぞれ投光部と受光部とを備えている。
【００１８】
上記のような形状の交換レンズ１２０をカメラボディ１００のマウント１３０に装着する場合は、以下のように操作する。まず、マウント面１２２、１３２を相互に対向させて接近させた状態で、差し込み指標１２９、１３９を相互に合わせる。
【００１９】
これにより、カメラボディ１００側のマウント爪１３４と交換レンズ１２０側のマウント爪１２４とは、互いに相補的な位置関係になる。従って、交換レンズ１２０の後端をマウント１３０の開口に差し込んだ場合、交換レンズ１２０側のマウント爪１２４は、カメラボディ１００側のマウント爪１３４の間を通過して、その裏面側まで入り込む。
【００２０】
続いて、交換レンズ１２０を、その光軸Ｘの回りに回転させると、交換レンズ１２０側のマウント爪１２４がカメラボディ１００側のマウント爪１３４の裏側に入り込み、両者は係合する。マウント爪１２４、１３４の少なくとも一方には板バネがついているので、このバネのバネ力を受けてマウント面１２２、１３２が密接し、また、これにより、交換レンズ１２０がカメラボディ１００に結合される。
【００２１】
なお、交換レンズ１２０をマウント１３０に装着する場合の交換レンズ１２０の回転方向は予め定められている。例えば、図１に示すように、マウント１３０の頂部よりもやや右に配された差し込み指標１３９に交換レンズ１２０の差し込み指標１２９を合わせて差し込んだ場合、交換レンズ１２０は反時計回りに回転して結合される。
【００２２】
また、交換レンズ１２０を装着する場合の回転量も予め定められている。即ち、図示の例では、交換レンズ１２０を約６０°回転させて、交換レンズ１２０の差し込み指標１２９がレンズマウント１３０の頂部（１２時の位置）にきた場合に、交換レンズ１２０の装着が完了する。なお、交換レンズ１２０を取り外す場合は、上記の操作を逆に実行する。
【００２３】
これら、予め定められた回転方向および回転量は、マウント爪１２４、１３４のいずれかに設けられた回り止め（回転規制部材）により規制してもよい。また、マウント爪１２４、１３４とは別に設けた部材により、回転方向および回転量を規制してもよい。
【００２４】
図３は、カメラシステム２００の構造を示す模式的な断面図である。カメラシステム２００は、相互に結合されたカメラボディ１００および交換レンズ１２０を含む。なお、図１および図２と共通の構成要素には同じ参照番号を付して重複する説明を省いた。
【００２５】
交換レンズ１２０は、複数のレンズＬ１、Ｌ２、Ｌ３、Ｌ４、Ｌ５と、鏡筒制御部１２とを含む。レンズＬ１、Ｌ２、Ｌ３、Ｌ４、Ｌ５は、共通の光軸Ｘ上に配列され、全体として光学系をなす。また、レンズＬ４を保持するレンズ枠には、絞り装置２２２も併せて保持される。
【００２６】
カメラボディ１００は、メインミラー２４０、ペンタプリズム２７０、ファインダ光学系２９０を含む光学系と、主制御部２５０とを収容する。メインミラー２４０は、交換レンズ１２０の光学系を介して入射した被写体光の光路上に配置され、ファインダ光学系に被写体光を導く測光位置と、被写体光の光路上から退避して、被写体光を撮像素子へ導く撮影位置（図中に点線で示す）との間を移動する。
【００２７】
待機位置にあるメインミラー２４０は、入射光の大半を、上方に配置されたフォーカシングスクリーン２７２に導く。フォーカシングスクリーン２７２は、交換レンズ１２０の光学系が合焦した場合に像を結ぶ位置に配置され、当該像を可視化する。
【００２８】
フォーカシングスクリーン２７２に結像された画像は、ペンタプリズム２７０を介してファインダ光学系２９０から観察される。これにより、ファインダ光学系２９０からは、フォーカシングスクリーン２７２上の映像を正像として見ることができる。
【００２９】
ペンタプリズム２７０およびファインダ光学系２９０の間にはハーフミラー２９２が配置される。ハーフミラー２９２は、ファインダＬＣＤ２９４に形成された表示画像を、フォーカシングスクリーン２７２の映像に重畳させる。これにより、ファインダ光学系２９０の出射端において、フォーカシングスクリーン２７２の映像と、ファインダＬＣＤ２９４の映像とを併せて見ることができる。なお、ファインダＬＣＤ２９４には、カメラシステム２００の撮影条件、設定条件等の情報が表示される。
【００３０】
また、ペンタプリズム２７０の出射光の一部は、測光部２８０に導かれる。測光部２８０は、入射光の強度およびその分布等を測定して、撮影条件を決定する場合に測定結果を参照させる。
【００３１】
一方、入射光の入射面に対するメインミラー２４０の裏面には、サブミラー２４２が配置される。サブミラー２４２は、メインミラー２４０を透過した入射光の一部を、下方に配置された焦点検出装置２３０に導く。これにより、メインミラー２４０が待機位置にある場合は、焦点検出装置２３０が光学系の焦点調整状態を検出する。なお、メインミラー２４０が撮影位置に移動した場合は、サブミラー２４２も光路から退避する。
【００３２】
交換レンズ１２０からの入射光に対してメインミラー２４０の後方には、シャッタ２２０、光学フィルタ２１２および撮像素子２１０が光軸に沿って配置される。シャッタ２２０が開放される場合は、その直前にメインミラー２４０が撮影位置に移動するので、入射光は直進して撮像素子２１０に入射される。これにより、入射光の形成する画像が、撮像素子２１０において電気信号に変換される。
【００３３】
また、カメラボディ１００は、交換レンズ１２０に対して背面において、外部に面したメインＬＣＤ２９６を備える。メインＬＣＤ２９６は、カメラボディ１００に対する各種の設定情報を表示する他、メインミラー２４０が撮影位置に移動している場合に撮像素子２１０に形成された画像を表示することもできる。
【００３４】
主制御部２５０は、上記のような種々の動作を総合的に制御する。また、焦点検出装置２３０が検出した合焦情報を参照して、交換レンズ１２０のオートフォーカス機構およびフラッシュ装置１４０の調光機構を制御する。また、主制御部２５０は、測光部２８０から得られた露出情報を鏡筒制御部１２に通知して、絞り装置２２２の動作を制御させることもできる。更に、これらの動作においては、交換レンズ１２０の焦点距離、スライドスイッチ１２７の状態等が参照される。
【００３５】
このため、カメラボディ１００および交換レンズ１２０の間では、種々の情報が遣り取りされる。また、交換レンズ１２０において合焦機構、絞り装置２２２等を駆動する駆動電力はカメラボディ１００から供給される。これらの信号および電力は、電気接点１２６、１３６および光通信ユニット１２８、１３８を通じて通信される。
【００３６】
図４は、ボディ側マウント１３０の構造を模式的に示す図である。既に説明した通り、交換レンズ１２０をマウント１３０に装着する場合、交換レンズ１２０の差し込み指標１２９は、カメラボディ１００の差し込み指標１３９に合わせて差し込まれた後、反時計回りに約６０°回転される。
【００３７】
ここで、マウント面１３２に配された電気接点１３６および光通信ユニット１３８は、交換レンズ１２０の回転する角度範囲に近接して配される。これにより、電気接点１３６および光通信ユニット１３８からカメラボディ１００の筐体１１０内において引き回される配線の設置スペースを兼用することができ（配線をスペースＢに集中配置でき）、また、電気信号を送受信する回路と光学信号を送受信する回路とを近接させて高密度に実装できる。
【００３８】
図５は、交換レンズ１２０のマウント部を模式的に示す図である。なお、この図は、交換レンズ１２０を後方から見た様子ではなく、マウント爪１２４を含む面を、交換レンズ１２０の前側から見た仮想的な形態を示す。また、図は、図中に矢印Ａで示すように、交換レンズ１２０を反時計回りに回転させてカメラボディ１００に結合させた後の状態を示す。
【００３９】
図４を参照して説明したように、カメラボディ１００の電気接点１３６および光通信ユニット１３８は、交換レンズ１２０の回転角度の範囲に近接して配される。従って、これら電気接点１３６および光通信ユニット１３８に対向する交換レンズ１２０の電気接点１２６および光通信ユニット１２８も対応して配置される。
【００４０】
これにより、電気接点１２６および光通信ユニット１２８から交換レンズ１２０の内部において引き回される配線の設置スペースを兼用することができ（配線をスペースＢに集中配置でき）、また、電気信号を送受信する回路と光学信号を送受信する回路とを近接させて、鏡筒制御部１２を小型化できる。
【００４１】
図６は、交換レンズ１２０およびマウント１３０の一例を模式的に示す図であり、カメラボディ１００と交換レンズ１２０とが互いにマウントされた状態を示す。図６は、図４および図５において点線Ｂで囲った領域における、電気接点１２６、１３６および光通信ユニット１２８、１３８を含む水平断面図である。
【００４２】
光通信ユニット１３８は、投光部１３８ａと受光部１３８ｂとを含み、光通信ユニット１２８は、光通信ユニット１３８の投光部および受光部にそれぞれ対応するように、投光部１２８ａおよび受光部１２８ｂを含む。なお、以降の図面および説明では、投光部１３８ａ、１２８ａおよび受光部１３８ｂ、１２８ｂをまとめて光通信ユニット１３８、１２８と記載する。
【００４３】
図示のように、光通信ユニット１２８、１３８は対向して配され、光信号を互いに投光または受光できる。これに対して、電気接点１２６、１３６は、互いに物理的に接触していることが求められる。また、接触抵抗による信号劣化を抑制する目的で、電気接点１２６、１３６は互いに圧接していることが好ましい。
【００４４】
そこで、電気接点１２６、１３６の一方（図示の例では、カメラボディ１００側の電気接点１３６）は、バネ３０１により、対向する電気接点１２６に向かってマウント面１３２から突出する方向に付勢される。ところが、交換レンズ１２０をカメラボディ１００から取り外す目的で交換レンズ１２０を回転させた場合、図中に矢印Ｐにより示す方向に回転させると、付勢された電気接点１３６の先端が、対向する光通信ユニット１２８を擦過する。このため、交換レンズ１２０の脱着を繰り返すと、光通信ユニット１２８の表面に擦過傷が形成されて、この光通信ユニット１２８における光信号の入出力特性を低下させる場合がある。
【００４５】
これに対して、交換レンズ１２０を取り外す場合の回転方向が、図中に矢印Ｑで示す方向であれば、付勢された電気接点１３６が光通信ユニット１２８を擦過することはない。そこで、交換レンズ１２０を取り外す場合の操作方向（回転方向）において、電気接点１３６は、光通信ユニット１２８から遠ざかるように配置される。
【００４６】
これにより、付勢された電気接点１３６が対向する光通信ユニット１２８を劣化させることなく、交換レンズ１２０を脱着することができる。なお、このような電気接点１３６および光通信ユニット１３８の配置構成は、交換レンズ１２０をカメラボディ１００に装着する場合の回転操作においても、付勢された電気接点１３６と光通信ユニット１２８との擦過を回避できる。また、既に説明した通り、交換レンズ１２０の回転方向および回転量は、例えば、マウント爪１２４、１３４の少なくとも一方に形成した回り止めにより規制することができる。
【００４７】
図７は、交換レンズ１２０およびマウント１３０の他の例を模式的に示す図であリ、カメラボディ１００と交換レンズ１２０とが相互にマウントされた状態を示す。このマウント１３０は、マウント面１３２に段差３０２を有する。また、交換レンズ１２０のマウント面１２２も、マウント面１３２と相補的な形状の段差２０２を有する。これにより、交換レンズ１２０のマウント１３０に対する図７の状態からの回転方向は、図中に矢印Ｑで示す方向に限定される。
【００４８】
このため、交換レンズ１２０をカメラボディ１００に装着する際に、矢印Ｐ方向に交換レンズ１２０を回転操作しても、図７の状態以降は、段差２０２、３０２により、矢印Ｐ方向への回転が物理的に規制される。なお、交換レンズ１２０をカメラボディ１００から取り外す際の、Ｑ方向への回転操作は規制されない。
【００４９】
また、マウント１３０の付勢された電気接点１３６は、矢印Ｑの方向について、光通信ユニット１２８と対向配置される光通信ユニット１３８よりも後ろ側に配置構成されている。これにより、交換レンズ１２０を回転させることができる方向Ｑに回転させた場合は、交換レンズ１２０の光通信ユニット１２８は、付勢された電気接点１３６から遠ざかる方向に進む。従って、光通信ユニット１２８が電気接点１３６により擦過されることはない。
【００５０】
また、交換レンズ１２０をマウント１３０に装着する場合に、矢印Ｑと反対方向、即ち、矢印Ｐの方向に交換レンズ１２０を回転操作する際には、光通信ユニット１２８が電気接点１３６と対向する位置に到達するよりも前に段差２０２、３０２が当接して、交換レンズ１２０の矢印Ｐ方向への回転が規制される。これにより、交換レンズ１２０を装着する場合においても、光通信ユニット１２８が電気接点１３６により擦過されることが防止される。
【００５１】
図８は、交換レンズ１２０およびマウント１３０の他の例であり、カメラボディ１００と交換レンズ１２０とが互いにマウントされた状態を模式的に示す図である。このマウント１３０において、段差のないフラットなマウント面１３２上に、付勢された電気接点１３６と、光通信ユニット１３８とが配置される。一方、交換レンズ１２０側のマウント面１２２には、段差２０２が設けられており、光通信ユニット１２８は、段差２０２により、奥まった側の面２０３上に配置される。これにより、光通信ユニット１２８が付勢された電気接点１３６に対向配置されたとしても、段差２０２により生じた間隙により、マウント面１３２から突出し切った電気接点１３６が、光通信ユニット１２８を擦過することがない。
【００５２】
従って、交換レンズ１２０が矢印Ｐ、Ｑのいずれの方向に回された場合であっても、付勢された電気接点１３６の先端が、光通信ユニット１２８の表面に接触することが規制される。ただし、交換レンズ１２０のカメラボディ１００に対する取り付け精度を高くする目的で、交換レンズ１２０を脱着する場合の回転方向をそれぞれ一方向に規制してもよい。
【００５３】
図９は、交換レンズ１２０およびマウント１３０の更に他の例であり、カメラボディ１００と交換レンズ１２０とが互いにマウントされた状態を模式的に示す図である。この形態では、カメラボディ１００に交換レンズ１２０を装着する場合は、交換レンズ１２０を矢印Ｑの方向に回転操作する。また、交換レンズ１２０をカメラボディ１００から取り外す場合は、矢印Ｐの方向に交換レンズ１２０を回転操作する。
【００５４】
このマウント１３０は、マウント面１３２に段差３０２を有する。また、交換レンズ１２０のマウント面１２２も、マウント面１３２と相補的な形状の段差２０２を有する。これにより、交換レンズ１２０のマウント１３０に対する、図９の状態からの回転方向は、図中に矢印Ｐで示す方向に限定される。
【００５５】
一方、マウント１３０の付勢された電気接点１３６は、マウント面１３２上において、段差３０２に対して下段側１３２ａに配され、光通信ユニット１３８は段差３０２に対して上段側１３２ｂに配される。これにより、交換レンズ１２０をカメラボディ１００に装着する際に、交換レンズ１２０を矢印Ｑ方向に回転操作して、その回転操作の過程において、交換レンズ１２０の光通信ユニット１２８が、付勢された電気接点１３６に正対した場合においても、光通信ユニット１２８は、段差２０２により、マウント面１３２から離間したマウント面１２２の上に位置するので、電気接点１３６が光通信ユニット１２８を擦過することがない。
【００５６】
また、交換レンズ１２０がマウント１３０に装着された状態では、段差３０２の上段側１３２ｂに配された光通信ユニット１３８と、交換レンズ１２０側の光通信ユニット１２８との間隔が狭い。これにより、迷光等が光通信ユニット１２８、１３８の間に入射することが抑制される。
【００５７】
図１０は、交換レンズ１２０およびマウント１３０の更に他の例であり、カメラボディ１００と交換レンズ１２０とが互いにマウントされた状態を模式的に示す図である。交換レンズ１２０側の光通信ユニット１２８は、マウント面１２２の表面よりも光軸方向に奥まった（マウント１３０から光軸方向に離間した）位置に配される。また、光通信ユニット１２８の周囲には、付勢された電気接点１３６の先端面の外径よりも小さな内径を有する規制部２０４が設けられる。
【００５８】
これにより、交換レンズ１２０がいずれの方向に回された場合であっても、付勢された電気接点１３６の先端が、光通信ユニット１２８の表面に接触することが規制される。ただし、交換レンズ１２０のカメラボディ１００に対する取り付け精度を高くする目的で、交換レンズ１２０を脱着する場合の回転方向は、それぞれ一方向に規制される場合はある。
【００５９】
以下、図１１から図１５を参照して、交換レンズ１２０側の電気接点１２６に付勢バネを有している場合の実施形態を説明する。図１１は、交換レンズ１２０およびマウント１３０の他の例を模式的に示し、カメラボディ１００と交換レンズ１２０とが互いにマウントされた状態を模式的に示す図である。
【００６０】
このマウント１３０においては、電気接点１３６および光通信ユニット１２８は、いずれも平坦なマウント面１３２に配される。一方、交換レンズ１２０の電気接点１２６は、バネ２０１により、対向する電気接点１３６に向かってマウント面１２２から突出する方向に付勢される。
【００６１】
従って、図中に矢印Ｑで示す方向に交換レンズ１２０を回転させた場合、付勢された電気接点１２６が、カメラボディ１００側の光通信ユニット１３８を擦過する。そこで、交換レンズ１２０を取り外す場合の回転方向（矢印Ｐで示す方向）において、電気接点１２６が光通信ユニット１３８から遠ざかるように、電気接点１２６、１３６および光通信ユニット１２８、１３８が配列される。
【００６２】
これにより、付勢された電気接点１２６が光通信ユニット１３８に対向することなく（光通信ユニット１３８を擦過して劣化させることなく）、交換レンズ１２０を脱着できる。また、このような電気接点１２６、１３６および光通信ユニット１２８、１３８の配列は、交換レンズ１２０を装着する場合の、矢印Ｑで示す方向への回転においても、付勢された電気接点１２６と光通信ユニット１３８との対向配置（擦過）を回避できる。また、既に説明した通り、交換レンズ１２０の回転方向および回転量は、例えば、マウント爪１２４、１３４の少なくとも一方に形成した回り止めにより規制することができる。
【００６３】
図１２は、交換レンズ１２０およびマウント１３０の他の例を模式的に示し、カメラボディ１００と交換レンズ１２０とが互いにマウントされた状態を模式的に示す図である。このマウント１３０においては、電気接点１３６および光通信ユニット１３８は、マウント面１３２に配される。一方、交換レンズ１２０の電気接点１２６は、バネ２０１により、対向する電気接点１３６に向かってマウント面１２２から突出する方向に付勢される。
【００６４】
また、マウント１３０において、マウント面１３２は段差３０２を有する。更に、交換レンズ１２０のマウント面１２２も、マウント面１３２と相補的な形状の段差２０２を有する。これにより、交換レンズ１２０のマウント１３０に対する、図１２の状態からの回転方向は、図中に矢印Ｐで示す方向に限定される。
【００６５】
更に、電気接点１２６は、矢印Ｐで示す方向において、光通信ユニット１３８と対向配置される光通信ユニット１２８よりも後ろ側に配置構成されている。これにより、交換レンズ１２０を矢印Ｐの方向に回転させた場合、付勢された電気接点１２６は光通信ユニット１３８から遠ざかる方向に進む。従って、光通信ユニット１３８が電気接点１２６により擦過されることはない。
【００６６】
また、交換レンズ１２０をマウント１３０に装着する場合に、矢印Ｑの方向に交換レンズ１２０を回転操作すると、電気接点１２６が光通信ユニット１３８に対向するよりも前に、段差２０２、３０２が当接して、交換レンズ１２０の回転が規制される。これにより、光通信ユニット１３８が電気接点１２６により擦過されることが防止される。
【００６７】
図１３は、交換レンズ１２０およびマウント１３０の他の例を模式的に示し、カメラボディ１００と交換レンズ１２０とが互いにマウントされた状態を模式的に示す図である。交換レンズ１２０側の、段差のないフラットなマウント面１２２上には、光通信ユニット１２８と、付勢された電気接点１２６とが配置されている。
【００６８】
一方、カメラボディ１００側のマウント面１３２の方には、マウント面１３２上に段差３０２が設けられており、光通信ユニット１３８は、段差３０２によって奥まった側の面３０３上に配置されている。これにより、光通信ユニット１３８が、付勢された電気接点１２６に対向配置されたとしても、そして、電気接点１２６がマウント面１２２から突出し切った場合であっても、段差３０２によって生じた間隙により電気接点１２６が光通信ユニット１３８から離間するので、相互に擦過することがない。
【００６９】
従って、交換レンズ１２０が矢印Ｐ、Ｑで示すいずれの方向に回された場合であっても、付勢された電気接点１２６の先端が、光通信ユニット１３８の表面に接触することが規制される。ただし、交換レンズ１２０のカメラボディ１００に対する取り付け精度を高くする目的で、交換レンズ１２０を脱着する場合の回転方向がそれぞれ一方向に規制されてもよい。
【００７０】
図１４は、交換レンズ１２０およびマウント１３０の他の例を模式的に示し、カメラボディ１００と交換レンズ１２０とが互いにマウントされた状態を模式的に示す図である。この図１４に示す形態の場合には、カメラボディ１００に交換レンズ１２０を装着するときは矢印Ｐで示す方向に、交換レンズ１２０を回転操作する。また、カメラボディ１００から交換レンズ１２０を取り外すときは矢印Ｑで示す方向に、交換レンズ１２０を回転操作する。
【００７１】
このマウント１３０は、マウント面１３２に段差３０２を有する。また、交換レンズ１２０のマウント面１２２も、マウント面１３２と相補的な形状の段差２０２を有する。これにより、交換レンズ１２０のマウント１３０に対する、図１４に示した状態からの回転方向は、図中に矢印Ｑで示す方向に限定される。
【００７２】
一方、交換レンズ１２０の付勢された電気接点１２６は、マウント面１２２上において、段差２０２に対して下段側の面１２２ａ（マウント１３０から光軸方向に離間している側）に配される。これにより、交換レンズ１２０を取り外すために矢印Ｑで示す方向に交換レンズ１２０を回転操作する過程において、付勢された電気接点１２６が光通信ユニット１３８に対向した場合であっても、光通信ユニット１３８は、段差３０２によって、電気接点１２６の配された面１２２ａから光軸方向に離間した面３０３上に配されるので、付勢された電気接点１２６が光通信ユニット１３８を擦過することがない。
【００７３】
また、交換レンズ１２０がマウント１３０に装着された状態では、光通信ユニット１２８、１３８は相互に近づいている。これにより、光通信ユニット１２８、１３８の間に迷光等が入射することが抑制される。
【００７４】
図１５は、交換レンズ１２０およびマウント１３０の他の例を模式的に示し、カメラボディ１００と交換レンズ１２０とが互いにマウントされた状態を模式的に示す図である。マウント１３０の光通信ユニット１３８は、マウント面１３２の表面よりも光軸方向に奥まった（交換レンズ１２０から光軸方向に離間した）位置に配される。また、光通信ユニット１３８の周囲には、付勢された電気接点１２６の先端面の外径よりも小さな内径を有する規制部３０４が設けられる。
【００７５】
これにより、交換レンズ１２０がいずれの方向に回された場合であっても、付勢された電気接点１２６の先端が、光通信ユニット１３８の表面に接触することが規制される。ただし、交換レンズ１２０のカメラボディ１００に対する取り付け精度を高くする目的で、交換レンズ１２０を脱着する場合の回転方向をそれぞれ一方向に規制してもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７７】
１２  鏡筒制御部、１００  カメラボディ、１１０  筐体、１２０  交換レンズ、１２１  ズームリング、１２２、１３２  マウント面、１２３  ピントリング、１２４、１３４  マウント爪、１２６、１３６  電気接点、１２７  スライドスイッチ、１２８、１３８  光通信ユニット、１２９、１３９  差し込み指標、１３０  マウント、１４０  フラッシュ装置、１７０  表示部、１８０  ダイヤルスイッチ、１９０  押しボタン、２００  カメラシステム、２０１、３０１  バネ、２０２、３０２  段差、２０３、３０３  面、２０４、３０４  規制部、２１０  撮像素子、２１２  光学フィルタ、２２０  シャッタ、２２２  絞り装置、２３０  焦点検出装置、２４０  メインミラー、２４２  サブミラー、２５０  主制御部、２７０  ペンタプリズム、２７２  フォーカシングスクリーン、２８０  測光部、２９０  ファインダ光学系、２９２  ハーフミラー、２９４  ファインダＬＣＤ、２９６  メインＬＣＤ、
【図１】
2010282101.tif 000003
【図２】
2010282101.tif 000004
【図３】
2010282101.tif 000005
【図４】
2010282101.tif 000006
【図５】
2010282101.tif 000007
【図６】
2010282101.tif 000008
【図７】
2010282101.tif 000009
【図８】
2010282101.tif 000010
【図９】
2010282101.tif 000011
【図１０】
2010282101.tif 000012
【図１１】
2010282101.tif 000013
【図１２】
2010282101.tif 000014
【図１３】
2010282101.tif 000015
【図１４】
2010282101.tif 000016
【図１５】
2010282101.tif 000017